(57)【要約】【課題】  操作性を何ら損なわずに、美感の維持及びセキュリティー上又はプライバシー上の問題を解決する。【解決手段】  人体の接近を検出する検知電極２の近傍にバックライト６が設けられ、バックライト６の上に光透過パターン３ａが形成された表示用マスク板３が設けられている。検知電極２の裏側には、第２光源７が配置されている。これらは、意匠板１によって覆われ、常時は視認できない。検知電極２に操作者の指が近づくと、まずバックライト６が点灯され、意匠板１の表面１ａに光透過パターン３ａを浮かび上がる。指がその部分に接触すると、第２光源７が点灯され、意匠板１に浮かび上がった光透過パターン３ａの輝度、色等が変化するので、これにより、スイッチがＯＮ状態になったことを確認することができる。【選択図】  図１
2006147519.tif 000002
【特許請求の範囲】
【請求項１】
検知電極と、
この検知電極の近傍に配置された照光手段と、
前記検知電極と接地との間の静電容量を検出してこれに対応した検出値を出力する静電容量検知回路と、
この静電容量検知回路から出力される検出値とｎ個（ｎは２以上の整数）のしきい値とを比較し、前記検出値と前記ｎ個のしきい値との大小関係に応じた信号を出力する判定回路と、
この判定回路の出力に応じて前記照光手段の点灯状態を制御する点灯状態制御手段と、
前記検知電極及び照光手段を外部から覆い、前記照光手段の非点灯時には前記検知電極及び前記照光手段を外部から視認不能にさせ、前記照光手段の点灯時には前記照光手段からの光を外部側の表面に浮かび上がらせる光透過率を有する被覆材と
を有することを特徴とする静電容量式スイッチ装置。
【請求項２】
前記被覆材は、表面に所定の意匠が施された意匠板であることを特徴とする請求項１記載の静電容量式スイッチ装置。
【請求項３】
前記点灯状態制御手段は、前記照光手段の点灯状態として前記照光手段の輝度、点灯色、点滅状態及び消灯状態のうちの一つ又は複数を制御するものであることを特徴とする請求項１記載の静電容量式スイッチ装置。
【請求項４】
前記点灯状態制御手段は、前記照光手段を、前記静電容量の小さい順に第１の状態、第２の状態及び第３の状態に制御するものであり、前記第１の状態は消灯状態、前記第２の状態は第１の輝度での点灯状態、前記第３の状態は前記第１の輝度よりも大きな第２の輝度での点灯状態であることを特徴とする請求項１記載の静電容量式スイッチ装置。
【請求項５】
前記照光手段は、第１光源及び第２光源を含み、
前記第１光源は、前記第２光源の点灯に先立って当該スイッチの位置に所定の光学パターンを浮かび上がらせる光源として用いられ、
前記第２光源は、当該スイッチに対する選択操作の過程及び／又は終了を報知するための光源として用いられるものである
ことを特徴とする請求項１記載の静電容量式スイッチ装置。
【請求項６】
前記照光手段は、光源と、この光源からの光を前記被覆材まで導く導光板とを含むものであることを特徴とする請求項１記載の静電容量式スイッチ装置。
【請求項７】
前記第１光源からの光を前記被覆材の裏面にバックライトとして照射するバックライト用導光板を更に備えたことを特徴とする請求項５記載の静電容量式スイッチ装置。
【請求項８】
前記照光手段と前記被覆材との間に介装されて前記照光手段からの光を部分的にマスクして、前記被覆材の表面に所定のパターンを浮かび上がらせるマスク材を更に設けたことを特徴とする請求項１記載の静電容量式スイッチ装置。
【請求項９】
前記検知電極、静電容量検知回路、判定回路及び第２光源はスイッチ回路を構成し、
前記スイッチ回路が複数設けられ、
前記第１光源は、前記複数のスイッチ回路に対して共通に設けられている
ことを特徴とする請求項５記載の静電容量式スイッチ装置。
【請求項１０】
前記各スイッチ回路は、その機能の有効／無効を設定が可能な設定手段をそれぞれ有することを特徴とする請求項９記載の静電容量式スイッチ装置。
【請求項１１】
前記判定回路は、前記静電容量検知回路から出力された検知値が、あらかじめ設定した一定の時間だけ継続して検知されたときのみ、光源に出力及びその機能の有効／無効を設定が可能な設定手段をそれぞれ有する
ことを特徴とする請求項９記載の静電容量式スイッチ装置。
【請求項１２】
前記検知電極はスイッチ回路を構成し、
前記スイッチ回路は複数設けられ、
前記点灯状態制御手段は、前記静電容量の増加に伴って、前記複数のスイッチ回路の全体から選択されようとしている特定のスイッチ回路まで、それらの検知電極の位置を段階的に表示していくように前記照光手段を制御するものであることを特徴とする請求項１記載の静電容量式スイッチ。
【発明の詳細な説明】
【技術分野】
【０００１】
本発明は、家電用機器、産業用機器機、輸送機器、建造物等に使用される静電容量式スイッチ装置に関する。
【背景技術】
【０００２】
従来より、静電容量の変化を検出する静電容量式スイッチとして、例えば特許文献１に開示されたものが知られている。この特許文献１に開示されたものは、透明保護膜の下に静電容量検知用透明電極及び表示素子を設け、透明電極での静電容量を検出手段で検出し、その検出結果に基づいて制御手段が表示素子を駆動するようにしたものである。また、この特許文献１には、表示素子の表示面にマスクを設け、文字や絵を表示する点も開示されている。これにより、機械的駆動部分がないタッチスイッチを実現するだけでなく、スイッチがＯＮしたことを表示機能により操作者に報知することが可能になる。
【特許文献１】特開平５−２９８９７９号公報、段落００１２〜００１３、００１９、図１
【発明の開示】
【発明が解決しようとする課題】
【０００３】
上述した従来の静電容量式スイッチでは、スイッチ表面と表示手段の間に透明電極と保護シートが存在するだけで、外部からスイッチの位置が視認可能である。換言すれば、操作上の観点から、スイッチの位置は明示されていることが前提であり、技術常識であるとも言える。
【０００４】
しかしその一方で、例えばデザインの都合上、又はセキュリティーやプライバシーの問題からスイッチの位置を外部からは視認不能にしたい要求もある。そのような用途では、先の先行技術をそのまま適用することはできない。
【０００５】
本発明は、このような点に鑑みてなされたもので、操作性を何ら損なわずに、美感の維持及びセキュリティー上又はプライバシー上の問題も解決可能な静電容量式スイッチを提供することを目的とする。
【課題を解決するための手段】
【０００６】
検知電極と、この検知電極の近傍に配置された照光手段と、前記検知電極と接地との間の静電容量を検出してこれに対応した検出値を出力する静電容量検知回路と、この静電容量回路から出力される検出値とｎ個（ｎは２以上の整数）のしきい値とを比較し、前期検出値と前記ｎ個のしきい値との大小関係に応じた信号を出力する判定回路と、この判定回路の出力に応じて前記照光手段の点灯状態を制御する点灯状態制御手段と、前記検知電極及び照光手段を外部から覆い、前記照光手段の非点灯時には前記検知電極及び前記照光手段を外部から視認不能にさせ、前記照光手段の点灯時には前記照光手段からの光を外部側の表面に浮かび上がらせる光透過率を有する被覆材とを有することを特徴とする静電容量式スイッチ装置。
【発明の効果】
【０００７】
本発明によれば、検知電極及び照光手段を被覆材で外部から覆い、前記被覆材が、照光手段の非点灯時には検知電極及び照明手段を外部から視認不能とさせ、照光手段の点灯時には照光手段からの光を外部側の表面に浮かび上がらせる光透過率を有しているので、スイッチの存在を外部から隠すことができ、しかもスイッチの存在を知っている特定の操作者にとっては単に手などを検知電極の近傍にかざすだけで照光手段が点灯してスイッチの位置が視認できるので、操作性を損なわずに、美観の維持及びセキュリティー上又はプライバシー上の問題も解決可能である。
【発明を実施するための最良の形態】
【０００８】
以下、添付の図面を参照して、本発明の実施の形態を説明する。
【０００９】
図１は、本発明の第１の実施形態に係る静電容量式スイッチ装置の構成を示す分解斜視図である。
【００１０】
このスイッチ装置は、被覆材としての意匠板１の裏側に人体の接近を検出するための中央に開口部２ａを有する矩形状の検知電極２を配置し、意匠板１と検知電極２との間に意匠板１側から順に表示用マスク板３と、バックライト用導光板４及び第１光源５からなるバックライト６とを配置し、更に検知電極２の裏面側に第２光源７を配置してなる。ここで意匠板１は、光透過性を有する樹脂、ガラス等の材料により形成され、例えば無色透明の板の表面１ａ上に目的にあった模様や色のシートを貼り付けるなどして、数十％、例えば１０〜５０％の光透過率に調整されたものである。表示用マスク板３は、スイッチの種類及び位置を示すために所定の文字、記号、図形等の所定の光透過パターン３ａを形成し、それ以外の部分をマスクしたもので、バックライト６の点灯時に意匠板１の表面１ａに光透過パターン３ａを浮き上がらせるために設けられている。検知電極２は、図示しない所定の基板上に形成されている。  
【００１１】
なお、この例では、検知電極２がバックライト６の後ろ側に配置されているが、検知電極２は、意匠板１と表示用マスク板３との間に配置するようにしても良い。この場合には、検知電極２は、表示用マスク板３のマスク部分に設けられることになる。
【００１２】
図２は、このスイッチ装置の回路構成を示す回路図である。
【００１３】
検知電極２は、静電容量検知回路１１に接続されている。静電容量検知回路１１は、検知電極２と接地との間の静電容量に応じた検出値を出力する。この検知回路１１は、例えば発振回路を内蔵し、検知電極２によって生成される静電容量Ｃｘに応じて発振周波数又はデューティー比が変化する信号を生成するものである。この検知回路１１から出力される検出値は、判定回路１２に入力されている。判定回路１２は、２つのコンパレータ１２１，１２２を備えて構成されている。コンパレータ１２１は、一方の入力端に静電容量検知回路１１からの検出値を入力し、他方の入力端に、判定電圧生成回路１２４で生成された第１判定電圧を入力し、検出値が第１判定電圧を超えたときに第１検知信号を出力する。コンパレータ１２２は、一方の入力端に静電容量検知回路１１からの検出値を入力し、他方の入力端に、判定電圧生成回路１２５で生成された第２判定電圧を入力し、検出値が第２判定電圧を超えたときに第２検知信号を出力する。なお、ここで第２判定電圧は、第１判定電圧よりも大きく、人体が殆ど意匠板１に触れた場合に超える電圧に設定されている。光源駆動回路１３は、第１検知信号によってＬＥＤ等からなる第１光源５を駆動する。また、光源駆動回路１４は、第２検知信号によってＬＥＤ等からなる第２光源７を駆動する。
【００１４】
次に、このように構成された本実施形態に係るスイッチ装置の動作について説明する。
【００１５】
検知電極２に人体、例えば指が接近すると、検知電極２の人体を介した対接地容量が変化し、この結果、静電容量検知回路１１から出力される検出値が図３のように増加する。判定回路１２は、静電容量検知回路１１からの検出値が第１判定電圧を超えたら、光駆動回路１３を駆動してバックライト用の第１光源５を点灯する。このようにバックライト６が点灯されると、その光が表示用マスク板３の光透過パターン３ａを透過して意匠板１の裏面を照射するので、意匠板１の表面１ａには、光透過パターン３ａが浮き上がって見えることになる。
【００１６】
操作者は、これを確認して意匠板１の光透過パターン３ａが浮き上がっている部分に指を接触させると、静電容量検出回路１１からの検出値が第２判定電圧を超えるので、判定回路１２は、光駆動回路１４を駆動して第２光源７を点灯させると共に、図示しない回路にスイッチＯＮ信号を出力する。第２光源７の点灯により、意匠板１に浮き上がった光透過パターン３ａの輝度、色等が変化するので、スイッチ操作が有効になったことを操作者に報知することができる。
【００１７】
図４は、本発明の第２の実施形態に係る静電容量式スイッチ装置の構成を示す斜視図、図５は同じく断面図である。
【００１８】
この実施形態は、複数の種類の異なるスイッチに対して１つのバックライトを共用した例である。
【００１９】
機器の一部をなす被覆材としての意匠部品２１には、その表面２１ａに目的に応じた模様、色等の意匠処理が施されている。例えば、透明な部材に木目調のプリントを転写したものを使用すれば、木目調のスイッチとなり、マジックミラーの機能を持った部材を使用すれば、金属的なデザインのスイッチも実現可能である。この意匠部品２１の裏面には、溝２１ｂが形成されている。そして、この溝２１ｂの部分に、静電容量式スイッチモジュール２２が装着されている。
【００２０】
この静電容量式スイッチモジュール２２は、次のように構成されている。即ち、溝２１ｂに沿って延びる基板２３の上には、複数の検知電極２４が配列形成されている。また、基板２３の検知電極２４以外の部分には、静電容量検知回路等の回路が集積された集積回路部品２５が搭載され、各検知電極２４の中央部分には、それぞれ操作表示用の第２光源２６が装着されている。基板２３の上には、複数の検知電極２４の全体を覆うように、バックライト２７と表示用マスク板２８とがこの順に搭載されている。バックライト２７は、バックライト導光板２９の検知電極２４側の面にバックライト用反射シート３０を貼着すると共に、バックライト導光板２９の側縁部にバックライト用の第１光源３１をバックライト導光板２９に向けて装着してなる。表示用マスク板２８は、各検知電極２４の部分にスイッチの位置を示す光透過パターン２８ａをそれぞれ形成するためのものである。
【００２１】
図６は、本実施形態に係る静電容量式スイッチ装置の電気的構成を示すブロック図である。
【００２２】
この実施形態では、各検知電極２４に対応させて、スイッチ回路４１，４２を設けている。各スイッチ回路４１，４２は、前述した検知電極２４、静電容量検知回路１１、判定回路１２、光源駆動回路１４及び第２光源２６を備えて構成されている。この装置は、これら複数のスイッチ回路４１，４２からの第１検知信号をＯＲゲート１５を介して光源駆動回路１３に与えることにより、複数のスイッチ回路４１，４２のいずれか１つの第１検知信号がＯＮになると第１光源３１を点灯させるようにしたものである。
【００２３】
この装置においては、複数の検知電極２４のいずれか1つに操作者の指が接近すると、第１光源３１が点灯し、複数の光透過パターン２８ａの光が意匠部品２１の表面２１ａに浮き上がる。操作者は、この浮き上がったパターンから所望のスイッチ部分を指で触れると、その部分の近傍の検知電極２４に対応した判定回路１２からの第２検知信号がＯＮになるので、そのスイッチ部分のみ第２光源２６が点灯され、輝度が変化する。これにより、そのスイッチがＯＮ状態になったことが分かる。
【００２４】
このように、本実施形態のスイッチ装置によれば、複数のスイッチで第１光源３１を含むバックライト２７を共用することができるので、部品単価及び組立工数を削減することができ、コスト低減を図ることができる。
【００２５】
また、各スイッチ回路４１，４２に、その機能の有効／無効を設定が可能なスイッチ回路等の設定手段をそれぞれ設けておけば、同一のスイッチモジュール２２で複数の用途に対応することが可能になる。
【００２６】
図７は、第３の実施形態に係る静電容量式スイッチ装置の構成を示す分解斜視図である。本実施形態では、判定電圧を３つに増やして、照明手段を３段階に切り替えるようにしている。図４の構成にスイッチ表示用光源３２が追加されている。
【００２７】
図８は、このスイッチ装置の回路構成を示す回路図である。
【００２８】
この装置は、複数のスイッチ回路４３，４４と、光源駆動回路１３と、第１光源３１を備えている。また複数のスイッチ回路４３，４４は各検知電極２４と、前述した静電容量検知回路１１と、判定回路１２７と、光源駆動回路１４，１６と、個別スイッチ表示用光源である第３光源３２と、操作表示用光源である第２光源２６を備えている。これら複数のスイッチ回路４３，４４からの第１検出信号は、ＯＲ１ゲート１７を介して光源駆動回路１３に与えられている。また複数のスイッチ回路４３，４４からの第２検出信号は、ＯＲ２ゲート１８を介して光源駆動回路１３に与えられている。このようにＯＲゲートを２つ設置することにより、いずれか一つのスイッチ回路４３，４４からの第１検出信号がＯＮになると第１光源３１が点灯し、いずれか一つのスイッチ回路４３，４４からの第２検出信号がＯＮになると、第１光源３１が減光又は消光するように、バックライト２７が点灯制御される。
【００２９】
判定回路１２７は、３つのコンパレータ１２１，１２２，１２３を備えて構成されている。コンパレータ１２１は、一方の入力端に静電容量検知回路１１からの検出値を入力し、他方の入力端に、判定電圧生成回路１２４で生成された第１判定電圧を入力し、検出値が第１判定電圧を超えたときに第１検知信号を出力する。コンパレータ１２２は、一方の入力端に静電容量検知回路１１からの検出値を入力し、他方の入力端に、判定電圧生成回路１２５で生成された第２判定電圧を入力し、検出値が第２判定電圧を超えたときに第２検知信号を出力する。コンパレータ１２３は、一方の入力端に静電容量検知回路１１からの検出値を入力し、他方の入力端に、判定電圧生成回路１２６で生成された第３判定電圧を入力し、検出値が第３判定電圧を超えたときに第３検知信号を出力する。なお、ここで第２判定電圧は、第１判定電圧よりも大きく、人体が意匠板１に接近した場合に超える電圧に設定されている。第３判定電圧は、第２判定電圧よりも大きく、人体が殆ど意匠板１に触れた場合に超える電圧に設定されている。
【００３０】
次に、このように構成された本実施形態に係るスイッチ装置の動作について説明する。
【００３１】
検知電極２４に人体、例えば指が接近すると、検知電極２４の人体を介した対接地容量が変化し、この結果、静電容量検知回路１１から出力される検出値が増加する。判定回路１２７は、静電容量検知回路１１からの検出値が第１判定電圧を超えると第１検出信号をＯＲゲート１７を介して光源駆動回路１３に出力する。
これにより、光源駆動回路１３が駆動されバックライト２７用の第１光源３１が点灯する。このようにバックライト２７が点灯されると、光透過パターン３ａが浮き上がって見え複数のスイッチの位置を操作者に知らせることになる。
【００３２】
操作者は、これを確認して複数のスイッチのうち操作したい機能を選び、意匠板１の複数の光透過パターン３ａが浮き上がっている部分のいずれかに更に指を接近させる。これにより、選択したスイッチの静電容量検出回路１１からの検出値が第２判定電圧を超えるので、判定回路１２７が第２検出信号を出力し、光源駆動回路１４が駆動して、ひとつの個別スイッチ表示用の第３光源３２が点灯する。同時に、第２検出信号はＯＲ２ゲート１８を介して、光源駆動回路１３を駆動し、第１光源３１を減光又は消光させる。これにより、個別スイッチ表示用の第３光源３２の点灯と第１光源３１の減光又は消光によって、意匠板１に浮き上がったひとつの光透過パターン３ａの輝度、色等が他のパターンに対して変化するので、どのスイッチが選択されようとしているかを操作者に知らせることができる。
【００３３】
次に操作者は、これを確認して意匠板１の光透過パターン３ａが浮き上がっている選択したい部分に指を接触させると、静電容量検出回路１１からの検出値が第３判定電圧を超えるので、判定回路１２７は、光駆動回路１５を駆動して操作表示用の第２光源２６を点灯させると共に、図示しない回路に選択した機能のスイッチＯＮ／ＯＦＦ信号を出力する。
【００３４】
このスイッチ装置によれば、操作表示用の第３光源３２の点灯により、意匠板１に浮き上がった操作しようとしている光透過パターン３ａの輝度、色等が他のパターンに対して変化するので、選択しようと意図したスイッチを確実に操作することができる。
【００３５】
この例では、判定電圧を３つにしたが、判定電圧を更に増やせば、複数のスイッチを更に階層化して、順次選択するグループを絞り込んで行くような制御も可能になる。
【００３６】
またこのスイッチ装置では、個別用スイッチ表示用の第３光源３２と、操作表示用の第２光源２６を用いているが、図９の回路構成を示す回路図のように、個別スイッチ表示用光源兼操作表示用光源３３を用いることも可能である。すなわち、スイッチ回路４５，４６は、操作者が選択しようとしているスイッチを表示するときには、個別スイッチ表示用光源兼操作表示用光源３３を点灯し、操作者がその表示されたスイッチをＯＮ／ＯＦＦしたときには、個別スイッチ表示用光源兼操作表示用光源３３を点滅，消光又は輝度変化させ、操作者に状況を知らせることができる。
【００３７】
これにより、光源の数を削減して、省エネ及びコスト低減を図ることができる。
【００３８】
図１０は、判定回路１２７の耐雑音性の向上を図った例を示す図である。
【００３９】
判定回路３４は、２つのコンパレータ３４１及び３４２と、１つのＡＮＤゲート３４３と、発振子３４４を備えたタイマ回路３４５を備えて構成されている。コンパレータ３４１は、一方の入力端に前記静電容量検知回路１１からの検出値を入力し、検出値が判定電圧生成回路３４６で生成された第１判定電圧を超えたときに第１検知信号を出力する。コンパレータ３４２は、一方の入力端に前記静電容量検知回路１１からの検出値を入力し、検出値が判定電圧生成回路３４７で生成された第２判定電圧より小さいときに第２検知信号を出力する。第１検出信号と第２検出信号は、ＡＮＤゲート３４３に入力されるため、検出値が第１判定電圧より大きく第２判定電圧より小さいときにのみ、ＡＮＤゲート３４３のＯＮ出力がタイマ回路に入力される。またタイマ回路は、ＯＮ信号があらかじめ設定された一定時間継続して入力されたときのみ、ＯＮ信号を出力する。これにより、判定回路３４は、一定範囲の検出値が一定時間内で継続して入力されたときにのみＯＮ信号を出力することができるため、外部ノイズによる誤動作を防止できる。
【００４０】
図１１は、この判定回路３４を用いた第５の実施形態を示した、静電容量式スイッチの回路構成を示す回路図である。
【００４１】
この装置は複数のスイッチ回路３５，３６を有し、複数のスイッチ回路３５，３６は判定処理回路３５１，３５２，３５３を備えている。判定処理回路３５１，３５２，３５３は、前記判定回路３４と同様の機能を備えている。すなわち、判定処理回路３５１は、第１判定電圧を超え第４判定電圧より小さい検出値が一定時間継続して検出されたとき、第１検知信号を出力し、判定処理回路３５２は、第２判定電圧を超え第４判定電圧より小さい検出値が一定時間継続して検出されたとき、第２検出信号を出力し、判定処理回路３５３は、第３判定電圧を超え第４判定電圧より小さい検出値が一定時間継続して検出されたとき、第３検出信号を出力する。ここで第２判定電圧は第１判定電圧より大きく、順次判定電圧は大きくなる。
【００４２】
また判定処理回路３５１，３５２及び３５３からの出力はＡＮＤ回路３７に出力され、３つの判定処理回路すべてからの信号がＯＮのときのみ、図示しない回路にスイッチＯＮ／ＯＦＦ信号を出力する。これにより、下位の階層すなわち判定処理回路３５１及び３５２の条件が成立しなければ、上位の階層すなわち判定回路３５３の条件が成立していても、スイッチＯＮ／ＯＦＦ信号を出力することができない。これにより、ノイズ等に起因した誤動作を防止することができる。
【００４３】
なお、本発明は上述した実施形態に限定されるものではない。例えば、図１２は、照光手段を１つの光源８で構成した最もシンプルな実施形態である。本実施形態では、人体の検知電極２への接近で光源８が点灯し（第１の状態）、人体の検知電極２への更なる接近（例えば、意匠板１への接触）で光源８の点灯輝度が変化したり、点滅したりする（第２の状態）。このように、マスク板が存在しなくても、検知電極２の中央の開口部２ａがマスクとして機能して、矩形の光を意匠板１の表面１ａに映し出すことができる。なお、検知電極２が透明電極であっても、光源５，７の投影像が意匠板１に映し出されるので、機能上支障となることはない。
【００４４】
図１３の実施形態は、図７の光源８に代えて、照光手段を２つの光源、すなわち第１光源５と第２光源７によって構成した例である。この場合には、人体の検知電極２への接近で光源５が点灯し、人体の検知電極２への更なる接近で光源７が点灯する。両者の発光色を変えておくと、更に操作確認がし易くなる。
【００４５】
図１４の実施形態は、図１３の意匠板1と検知電極２との間にバックライト導光板４を設けた例である。この実施形態によれば、意匠板１の表面にスイッチの形をより鮮明に映し出すことができる。
【００４６】
図１５の実施形態は、第１光源５をバックライト導光板４の側縁部に配置したものであり、図１の実施形態の中から表示用マスク板３を削除した形態である。
【００４７】
この場合には、意匠板１により均一な光を透光することができる。
【００４８】
なお、以上の実施形態では、１又は２つの光源によって第１及び第２の状態として輝度及び／又は色の異なる点灯状態に制御しているが、第１及び第２の状態としては、この他にも、一方を点灯状態、他方を点滅状態としたり、一方を点灯状態、他方を消灯状態とするようにしても良い。要は、第１の状態でスイッチの位置を確認でき、第２の状態でスイッチがＯＮになったことが確認できれば、本願発明の効果を奏することができる。
【図面の簡単な説明】
【００４９】
【図１】本発明の第１の実施形態に係る静電容量式スイッチ装置の構成を示す分解斜視図である。
【図２】同装置の電気的構成を示すブロック図である。
【図３】同装置における人体と検知電極との間の距離と静電容量検知回路の検出値との関係を示すグラフである。
【図４】本発明の第２の実施形態に係る静電容量式スイッチ装置の構成を示す一部を切欠した斜視図である。
【図５】同装置の断面図である。
【図６】同装置の電気的構成を示すブロック図である。
【図７】本発明の第３の実態形態に係る静電容量式スイッチ装置の構成を示す一部を切欠した斜視図である。
【図８】同装置の電気的構成を示すブロック図である。
【図９】本発明の第４の実態形態に係る静電容量式スイッチ装置の電気的構成を示すブロック図である。
【図１０】第５の実施形態に係る静電容量式スイッチ装置における判定回路の電気的構成を示すブロック図である。
【図１１】同装置の静電容量式スイッチ装置の電気的構成を示すブロック図である。
【図１２】本発明の他の実施形態を示す分解斜視図である。
【図１３】本発明の更に他の実施形態を示す分解斜視図である。
【図１４】本発明の更に他の実施形態を示す分解斜視図である。
【図１５】本発明の更に他の実施形態を示す分解斜視図である。
【符号の説明】
【００５０】
１…意匠板、２，２４…検知電極、３，２８…表示用マスク板、４…バックライト導光板、５，３１…第１光源、６，２７…バックライト、７，２６…第２光源、８…光源、１１…静電容量検知回路、１２，１２７…判定回路、１３，１４…光源駆動回路、３２…第３光源、３３…第２兼第３光源、３５，３６，４１〜４５…スイッチ回路。
【図１】
2006147519.tif 000003
【図２】
2006147519.tif 000004
【図３】
2006147519.tif 000005
【図４】
2006147519.tif 000006
【図５】
2006147519.tif 000007
【図６】
2006147519.tif 000008
【図７】
2006147519.tif 000009
【図８】
2006147519.tif 000010
【図９】
2006147519.tif 000011
【図１０】
2006147519.tif 000012
【図１１】
2006147519.tif 000013
【図１２】
2006147519.tif 000014
【図１３】
2006147519.tif 000015
【図１４】
2006147519.tif 000016
【図１５】
2006147519.tif 000017